(57)【特許請求の範囲】
【請求項１】
光ビーム発生手段から出射された光ビームを偏向走査する回転多面鏡と、前記回転多面鏡を回転駆動するスキャナーモータを備え、前記スキャナーモータが、前記回転多面鏡を保持するロータと、前記ロータの軸方向の抜けを規制しない構成のスラスト軸受けと、前記スラスト軸受けを保持しており前記ロータに近接対向する位置に配された鉄基板とを有し、前記鉄基板の一部を用いて前記ロータ上にオーバーラップさせて前記ロータの軸方向の抜けを規制するロータ抜け止めを備えた光偏向走査装置において、
前記ロータ抜け止めは、前記鉄基板の一部によって形成された鉤形状の立ち曲げツメを備え、該立ち曲げツメは曲げ線の延長線がロータの軸方向からみて前記ロータと重なるように立ち曲げられて構成されていることを特徴とする光偏向走査装置。
【発明の詳細な説明】
【０００１】
【発明の属する技術分野】
本発明はレーザビーム等を用いた記録装置において、光ビームを感光体上に走査するための回転多面鏡を有する光偏向走査装置に関するものであり、詳しくは、光偏向走査装置の回転多面鏡を回転駆動するスキャナモータにおけるロータの抜け止め構造に関するものである。
【０００２】
【従来の技術】
従来、回転多面鏡を回転駆動させることにより光ビームを偏向走査する偏向走査装置は図４及び図５に示すように構成されている。
１０１は光学箱、１０２はスキャナモータ、１０３は回転多面鏡、１０４は押え金具、１０５はカバー部材、１０６は抜け止めである。回転多面鏡は押え金具によってロータに固定されている。
スキャナモータ１０２は以下のように構成される。すなわち図５に於て、軸受けスリーブ１１０、ステータ１１１、鉄基板１１２、ロータ１１３、シャフト１１４である。ロータはマグネットと一体であるがこれに限定するものではない。ロータにはフランジ１１３ａが設けられている。ロータとシャフトは結合している。
【０００３】
次に装置の動作を説明する。回転多面鏡１０３はスキャナモータ１０２によって高速高精度に回転され、図示しない光ビームユニットより出射された光ビームを図示しない感光体上に走査する。光学箱１０１には内部を保護するためカバー部材１０５が取り付けられる。スキャナモータは軸受けスリーブ１１０の内面にヘリングボーンと呼ばれる溝パターン１１０ａを有し表面は油膜で覆われる。スリーブとシャフトおよび油膜はラジアル動圧軸受けを構成する。
なお、ラジアル軸受けはこれに限定するものではなく、ヘリングボーン以外の形状や空気軸受け、すべり軸受けでもよい。
【０００４】
ロータがステータから電磁力をうけ回転するとシャフトに連れまわる油膜がヘリングボーンで圧力を発生し非接触でシャフトを回転自在に支持する。
抜け止め手段がなければ、軸方向にはロータは抜き差し自在である。通常ロータは、ステータや鉄基板との磁気的吸引力および自重で鉄基板に近接しようとし、これをシャフト下端の球面に近く成形された部分１１４ａで点接触に近い状態でスリーブと接触することで位置決めし、ピボット式スラスト軸受けを構成するのが一般的である。
なお、スラスト軸受けはこれに限定するものではなく、ロータの軸方向の抜けを規制していないことが特徴である。
このような構造は軸受けの組み立て工程上必要なものである。
ロータの軸方向の抜けを規制する手段としては、抜け止め１０６がネジ止めやスナップフィットによって設けられ、ロータのフランジ１１３ａにオーバラップしていた。
【０００５】
【発明が解決しようとする課題】
しかしながら、前記従来例では次のような問題があった。
すなわち、搬送時の振動、衝撃によりロータが極端に鉄基板から離間してしまうと軸受けに空気の侵入やロータとカバー部材の衝突が起こり好ましくない上、モータ単体の搬送では通常カバー部材も無いので小さな抜け止めやスナップフィットでは押えが不十分でロータが完全に脱落する恐れもある。そこで、従来は抜け止めを十分に締結するため面倒な作業行程や部品が必要だった。このため、コストアップの要因となっていた。
【０００６】
そこで、本発明は、上記従来のものにおける課題を解決し、抜け止めのための追加部品を必要とすることなく、簡単で安価な構成によって、スキャナモータにおけるロータの軸方向の抜け止めを、確実に達成することのできる光偏向走査装置を提供することを目的とするものである。
【０００７】
【課題を解決するための手段】
本発明は、上記課題を解決するため、光偏向走査装置をつぎのように構成したことを特徴とするものである。
すなわち、本発明の光偏向走査装置は、光ビーム発生手段から出射された光ビームを偏向走査する回転多面鏡と、前記回転多面鏡を回転駆動するスキャナーモータを備え、前記スキャナーモータが、前記回転多面鏡を保持するロータと、前記ロータの軸方向の抜けを規制しない構成のスラスト軸受けと、前記スラスト軸受けを保持しており前記ロータに近接対向する位置に配された鉄基板とを有し、前記鉄基板の一部を用いて前記ロータ上にオーバーラップさせて前記ロータの軸方向の抜けを規制するロータ抜け止めを備えた光偏向走査装置において、
前記ロータ抜け止めは、前記鉄基板の一部によって形成された鉤形状の立ち曲げツメを備え、該立ち曲げツメは曲げ線の延長線がロータの軸方向からみて前記ロータと重なるように立ち曲げられて構成されていることを特徴としている。
【０００８】
【発明の実施の形態】
本発明は、上記したように前記ロータ抜け止めは、前記鉄基板の一部によって形成された鉤形状の立ち曲げツメを備え、該立ち曲げツメは曲げ線の延長線がロータの軸方向からみて前記ロータと重なるように立ち曲げられて構成されていることから、この鉄基板自身が抜け止めとなり、抜け止めのための追加部品を必要とすることなく、作業行程も簡単な曲げ加工ですみ、このような簡単で安価な構成によって、スキャナモータにおけるロータの軸方向の抜け止めを、確実に実現することができる。
【０００９】
【実施例】
以下に、本発明の実施例について説明する。
図１から図３は本発明における光偏向装置の実施例を示す図である。
１は光学箱、２はスキャナモータ、３は回転多面鏡、４は押え金具、５はカバー部材、６は立ち曲げツメであり、鉄基板の一部により形成されている。回転多面鏡は押え金具によってロータに固定されている。
スキャナモータ２は、以下のように構成される。
すなわち軸受けスリーブ１０、ステータ１１、鉄基板１２、ロータ１３、シャフト１４である。ロータはマグネットと一体であるがこれに限定するものではない。ロータにはフランジ１３ａが設けられている。ロータとシャフトは結合している。
【００１０】
次に、装置の動作を説明する。回転多面鏡３はスキャナモータ２によって高速高精度に回転され、図示しない光ビームユニットより出射された光ビームを図示しない感光体上に走査する。
光学箱１には内部を保護するためカバー部材５が取り付けられる。
スキャナモータは軸受けスリーブ１０の内面にヘリングボーンと呼ばれる溝パターンを有し表面は油膜で覆われる。スリーブとシャフトおよび油膜はラジアル動圧軸受けを構成するが、これに限定するものではない。
ロータが回転するとシャフトに連れまわる油膜がヘリングボーンで圧力を発生し非接触でシャフトを回転自在に支持する。
抜け止め手段がなければロータは抜き差し自在である。通常ロータは、ステータや鉄基板との磁気的吸引力および自重で鉄基板に近接しようとし、これをシャフト下端の球面に近く成形された部分で点接触に近い状態でスリーブと接触することで位置決めし、ピボット式スラスト軸受けを構成するのが一般的であるがこれに限定するものではなく、ロータの軸方向の抜けを規制していないことが特徴である。
【００１１】
次に、本実施例の構成に基づいてその作用を説明する。
ロータをスリーブヘ挿入する際、立ち曲げツメは図２のようにまだ立ち曲げられておらず、なんら障害にはならない。しかし挿入の後、Ａ部で立ち曲げツメは立ち曲げられる。その結果Ｂ部がロータ側から見たとき図３のようにロータよりも上にオーバラップする。このためロータは軸方向には抜き差しできなくなる。その結果搬送時の振動、衝撃によりロータが抜けようとしてもロータはＢ部にさえぎられ抜けることがない。
【００１２】
【発明の効果】
以上説明したように、本発明によれば、鉄基板の一部によって形成された鉤形状の立ち曲げツメを備え、該立ち曲げツメは曲げ線の延長線がロータの軸方向からみて前記ロータと重なるように立ち曲げられて構成されているものであるから、鉄基板自身を抜け止めとすることにより、抜け止めのための追加部品を必要とすることなく、簡単で安価な構成によって、スキャナモータにおけるロータの軸方向の抜け止めを、確実に実現することができる。
【図面の簡単な説明】
【図１】  本発明の実施例を示す図である。
【図２】  本発明の実施例を示す図である。
【図３】  本発明の実施例を示す図である。
【図４】  従来例を示す図である。
【図５】  従来例を示す図である。
【符号の説明】
１、１０１：光学箱
２、１０２：スキャナモータ
３、１０３：回転多面鏡
４、１０４：押え金具
５、１０５：カバー部材
６：立ち曲げツメ
１０６：抜け止め
１０、１１０：軸受けスリーブ
１１、１１１：ステータ
１２、１１２：鉄基板
１３、１１３：ロータ
１３ａ、１１３ａ：フランジ
１４、１１４：シャフト
Ａ：立ち曲げ位置
Ｂ：オーバラップ部分
【図１】
0003832952.tif 000002
【図２】
0003832952.tif 000003
【図３】
0003832952.tif 000004
【図４】
0003832952.tif 000005
【図５】
0003832952.tif 000006